(57)【要約】【課題】  従来の局所排気技術による竜巻発生は部屋・容器・誘導官や噴射装置・ファンケース等が必要であり複雑かつ機械や装置の大きさに対する竜巻の伸長度も小さく、海上などで発生する自然竜巻のような自由空間で移動する丈の高い竜巻の発生を主な目的とする場合には、その構成には問題があり、プロペラのみで竜巻を発生させるための竜巻発生用プロペラ及び竜巻発生機械及び竜巻実演装置の実現が本発明の目的。【解決手段】  本発明は、上記目的を達成するために竜巻発生用プロペラの羽根として、遠心式プロペラ羽根と軸流式プロペラ羽根を組み合わせた構造の羽根を用い、更に竜巻発生用プロペラの羽根内部に空気を通して半径方向へ加速することで旋回下降流の増強増大ができ、竜巻発生に必要な上昇流と旋回流を十分に発生できるようになり、単純構造の竜巻発生機及び竜巻が移動できる竜巻実演装置の実現が可能になった。【選択図】図２
2008002447.tif 000002
【特許請求の範囲】
【請求項１】
竜巻の発生に必要な旋回流と上昇流の発生をプロペラの能力だけで行って竜巻を発生させる竜巻発生方法であって、その特徴的な仕組は、
（イ）竜巻発生機は、倒立状態の駆動モータの回転軸に竜巻発生用プロペラを取付けた機械構成とし、前記竜巻発生用プロペラの羽根は遠心式プロペラ羽根の先端に軸流式プロペラ羽根を設けてなり、
（ロ）前記竜巻発生機を空中に吊るして前記竜巻発生用プロペラを回転させると、前記遠心式プロペラ羽根によって回転しながら半径方向へ流れる回転空気流が発生して前記軸流式プロペラ羽根へと流れ、該軸流式プロペラ羽根によって斜め下方へ押し出されて傘を開いたようなドーム状の旋回下降流が形成され、
（ハ）前記ドーム状の旋回下降流を形成させることで、プロペラ回転面の上下方向から空気を平均的に吸引する性質の遠心式プロペラ羽根が下方からの空気を強力に吸引するようになり、該吸引によって強い上昇流が発生し、これで竜巻発生に必要な上昇流を確保し、
（ニ）一方の前記ドーム状の旋回下降流が床面に達すると床面との衝突で下降成分が消滅して旋回流に変わり、これで竜巻発生に必要な旋回流が確保でき、床表面を旋回している該旋回流が前記上昇流に引っ張られて旋回上昇渦となり前記遠心式プロペラ羽根まで達して吸引され、該吸引によって前記旋回上昇渦の渦中心線に沿って竜巻を発生させる。
以上のような仕組みを特徴とする竜巻発生方法。
【請求項２】
竜巻発生用プロペラの羽根は、遠心式プロペラ羽根と軸流式プロペラ羽根の二種類の組み合わせによる構造とし、羽根の先端部分は軸流式プロペラ羽根となるように組み合わせることを特徴とする前記請求項１記載の竜巻発生用プロペラ。
【請求項３】
竜巻発生用プロペラの羽根は、羽根付根より羽根先端へ向かって遠心式プロペラ羽根・羽根先端に軸流式プロペラ羽根の順で組み合わせた羽根構造とすることを特徴とする前記請求項１記載の竜巻発生用プロペラ。
【請求項４】
竜巻発生用プロペラの羽根は、羽根付根より羽根先端へ向かって軸流式プロペラ羽根・遠心式プロペラ羽根・羽根先端に軸流式プロペラ羽根の順で組み合わせた羽根構造とすることを特徴とする前記請求項１記載の竜巻発生用プロペラ。
【請求項５】
空気が羽根内部を羽根先端方向へ吹き抜けるようにするため遠心式プロペラ羽根及び軸流式プロペラ羽根の羽根構造をタクト状羽根とすることを特徴とする前記請求項１、２、３、４記載の竜巻発生用プロペラ。
【請求項６】
竜巻発生用プロペラの羽根を０度〜４０度の範囲で下方へ傾斜させて回転軸又はハブに取付けることを特徴とする前記請求項１、２、３、４、５記載の竜巻発生用プロペラ。
【請求項７】
竜巻発生用プロペラの羽根は、羽根の先端部分の軸流式プロペラ羽根をプロペラ回転面より下方へ０度〜９０度の範囲で曲げた構造とすることを特徴とする前記請求項１、２、３、４、５、６記載の竜巻発生用プロペラ。
【請求項８】
竜巻発生用プロペラの羽根は、羽根先端部分に遠心式プロペラ羽根を用い、該遠心式プロペラ羽根に軸流機能を持たせるためにプロペラ回転面より０〜９０度の範囲で下方へ曲げた羽根構造とすることを特徴とする前記請求項１、２、３、４、５、６記載の竜巻発生用プロペラ。
【請求項９】
竜巻発生用プロペラの羽根は、羽根の先端部分に設けた吹出口に空気を斜め下方へ流すための空気流偏向板１３を設けることを特徴とする前記請求項１、２、３、４、５、６、７、８記載の竜巻発生用プロペラ。
【請求項１０】
吊下用器具９及び電源スイッチ１０を備えたケース（８，８ａ）の底に駆動モータ６を倒立させて取付け、前記ケース（８，８ａ）の底を貫通して出ている前記駆動モータ６の回転軸５にハブ（４，４ａ，４ｂ，４ｃ，４ｄ）を取付け、該ハブ（４，４ａ，４ｂ，４ｃ，４ｄ）に竜巻発生用プロペラを取付けてなり、前記竜巻発生用プロペラの羽根数は二枚以上とし、該竜巻発生用プロペラの羽根は遠心式プロペラ羽根３（翼型ａ，ｂ，ｃ，ｄ，ｅ）と羽根先端部分に軸流式プロペラ羽根２（翼型ｂ，ｃ，ｄ，ｅ，ｆ，ｇ）を組み合わせた構造にすることを特徴とする竜巻発生機。
【請求項１１】
竜巻発生用プロペラの羽根は、遠心式プロペラ羽根３（翼型ａ，ｂ，ｃ，ｄ，ｅ）及び軸流式プロペラ羽根２（翼型ｂ，ｃ，ｄ，ｅ，ｆ，ｇ）のうち（翼型ｆ，ｇ）を除いて羽根内部を空気が流れるようにしたタクト状羽根とし、ハブ（４，４ａ，４ｂ，４ｃ，４ｄ）又は前記遠心式プロペラ羽根３（翼型ａ，ｂ，ｃ，ｄ，ｅ）の羽根付根近傍に吸引口（７，７ａ）を設け、該吸引口（７，７ａ）から流入した空気が羽根内部を流れて前記軸流式プロペラ羽根２（翼型ｂ，ｃ，ｄ，ｅ，ｆ，ｇ）の部分を通過して羽根先の吹出口１２から吹き出す構造とすることを特徴とする前記請求項１０記載の人工竜巻発生機。
【請求項１２】
竜巻発生用プロペラの羽根は、羽根の付根より羽根先端へ向かって軸流式プロペラ羽根２（ｆ）・ダクト状羽根の遠心式プロペラ羽根３（翼型ａ，ｂ，ｃ，ｄ，ｅ）・羽根先端部分にタクト状羽根の軸流式プロペラ羽根２（翼型ｂ，ｃ，ｄ，ｅ，ｆ，ｇ）の順で組み合わせた羽根構造とし、ハブ（４ｂ）を用いて取付けることを特徴とする前記請求項１０記載の竜巻発生機。
【請求項１３】
竜巻発生機を可動式クレーン等に吊るして前後上下左右に動かし、人工物を含む自然を模したミニチュア模型のステージ上を竜巻が移動するようにしたことを特徴とする可動式竜巻実演装置。
【請求項１４】
竜巻発生機をクレーン等に吊るして前後上下左右に移動できるようにし、水槽の底に傾斜をつけて中央が最も深くなるように設け、水槽に水を張り、前記竜巻発生機全体又は竜巻発生用プロペラ部分だけを沈め、水面上の空気が前記竜巻発生用プロペラの回転面に流入しないように前記竜巻発生機上の水面又は前記竜巻発生機と前記竜巻発生用プロペラの間の水面に円盤を浮かべて空気の流入を防止することを特徴とする水中竜巻実演装置。
【発明の詳細な説明】
【技術分野】
【０００１】  本発明は、竜巻発生用プロペラ及び竜巻発生機及び竜巻実演装置に関する。
【背景技術】
【０００２】  従来の竜巻発生の技術には、竜巻発生機械においては竜巻発生に必要とされる上昇流と旋回流のうち、上昇流に天井中央部に設けたファンの吸引流を用い、旋回流にファンの吹出流を円周上に設けた複数のパイプ柱に誘導してパイプの側面に設けた複数の穴から水平方向に噴射させて用いる方法（例えば、特許公開平８−２８５３４０号）などがあり、竜巻の収束性を利用した局所吸排気装置においては、天井に設けた排気系の空気流を上昇流に、吸気系の吹出流をファンの近傍から下方へエアーカーテン状に噴射して回転流を得て目的達成を図っているものもある（例えば、特許公開２００１−９１００７号・特許公開２０３−３２９２８０号）、あるいは、容器や部屋の底の隅の壁に回転流を得るための穴を数個、天井中央部分に上昇流を得るための吸引口を一個設けて竜巻を発生させているものもある（例えば、特許公開２００１−１０８２６６号）。
【発明の開示】
【発明が解決しようとする課題】
【０００３】  以上に述べた従来の竜巻発生の技術では部屋・容器・誘導官や噴射装置・ファンケース等が必要であり装置や機械が大きくなり構造が複雑で重量もそれだけ重くなり、更に束縛的空間であるため竜巻の移動や形態変化が小さく竜巻現象の自然的な姿の再現が容易でなく、機械や装置の大きさに対して竜巻の背丈が低い等の問題点があった。【０００４】  従来の技術は、密閉的空間における竜巻技術としては非常に優れているが、海上などで発生する自然竜巻のような自由空間で移動しながら立ち振る舞う丈の高い竜巻を主な目的とする場合にはその構成には問題があり、圧迫感等が少なくて機械構造が単純で、できるだけ自由空間に近い気流環境で自然に近い竜巻現象の再現を可能にする技術を本発明は目的とするものである。
【課題を解決するための手段】
【０００５】  本発明は、上記目的を達成するためにプロペラのみで竜巻を発生させる技法を採用しており、遠心式プロペラ羽根と軸流式プロペラ羽根の二種類を組み合わせ（ただし、羽根の先端部分には軸流式プロペラ羽根又は軸流機能を備えた羽根を設ける）て結合した状態の羽根構造の竜巻発生用プロペラを回転させることで上昇流と旋回流を得て課題の解決を図っている。【０００６】  まず、竜巻発生機の基本的な構成は、倒立状態の駆動モータの回転軸にハブを取り付け、該ハブに遠心式プロペラ羽根と羽根先端部分に軸流式プロペラ羽根を組み合わせた羽根構造の竜巻発生用プロペラを取付けた構成とし、該構成体を空中に吊り下げて竜巻発生用プロペラを回転させ竜巻を発生させる。【０００７】  次に、竜巻発生の仕組みは、遠心式プロペラ羽根が回転すると回転空気流が発生して半径方向へ流れ、該回転空気流は軸流式プロペラ羽根によって斜め下方へ押し出されて旋回下降流が発生して傘を開いたようなドーム状の旋回下降流を形成するが、該ドーム状の旋回下降流が形成されると、プロペラ回転面の上下から空気を平均的に吸引する性質の前記遠心式プロペラ羽根が下方の空気を強力に吸引するように変わり、該吸引によって前記ドーム状の旋回下降流の内側に強い上昇流が発生し、一方のドーム状の前記旋回下降流の先端が床面まで降下して床面に衝突すると下降成分が消滅して旋回流が発生し、該旋回流が前記ドーム状の旋回下降流の内側に発生している前記上昇流に引っ張られてドーム内の床面に沿って流れ込んだ後に上昇に転じて旋回上昇渦となり前記遠心式プロペラ羽根のプロペラ回転面の高さまで発達すると該旋回上昇渦の上部が前記遠心式プロペラ羽根に吸引され、該旋回上昇渦の渦中心線に沿って竜巻が発生する仕組みである。【０００８】  したがって、遠心式プロペラ羽根の役目は、回転することで空気に回転成分を与えて回転しながら外側へ拡散する円盤状の回転空気流を発生させることにあり、羽根断面の翼型としては、円状（翼型ａ）、半円状（翼型ｂ）、楕円状（翼型ｃ）、相対する円弧の径の異なる変形楕円状（翼型ｄ、又は翼型ｄの逆向きの翼型）、肉厚の翼型（翼型ｅ、又は翼型ｅの逆向きの翼型）のような形が効果的である。【０００９】  また、羽根先端部分の軸流式プロペラ羽根の役目は、遠心式プロペラ羽根によって発生した円盤状の回転空気流を斜め下方へ押し出して傘を開いたようなドーム状の旋回下降流を形成することにあり、その羽根断面の翼型には（翼型ｂ，ｃ，ｄ，ｅ）及び、板の切断面状（翼型ｆ）、断面Ｃ字状（翼型ｇ）などがあり、適度なピッチをつけて用いる。【００１０】  次に、竜巻発生用プロペラをダクト状羽根にする利点は、羽根内部を通風できるダクト状の羽根を用いることで、羽根内部でも空気を遠心方向へ加速でき、そのぶん旋回下降流と上昇流を増大できて竜巻の強さが向上することにあり、遠心式プロペラ羽根の翼型としては（翼型ａ，ｂ，ｃ，ｄ，ｅ）、軸流式プロペラ羽根の翼型としては（翼型ｂ，ｃ，ｄ，ｅ）などが効果的である。【００１１】  また、ダクト状羽根の内部に空気を通すためには吸引口と吹出口が必要になり、該吸引口の設置場所は、遠心式プロペラ羽根の役目からして、できるだけ回転軸に近い方���よく、前記遠心式プロペラ羽根の付根の回転軸面、又は羽根付根近傍の腹面、又は前縁、又は後縁等に一箇所又は複数箇所開口し、一方の吹出口は羽根先端部分に設ける。【００１２】  次に、竜巻発生用プロペラの羽根に、回転軸側より軸流式プロペラ羽根・遠心式プロペラ羽根・軸流式プロペラ羽根の順で構成する羽根を用いる場合は、回転軸側の軸流式プロペラ羽根の翼型には（翼型ｆ）のような形が合理的で、その羽根の段数を複葉機のように上下二段にして用いてもよい。【００１３】  次に、ダクト状羽根になった竜巻発生用プロペラの場合、プロペラ先端部にある軸流式プロペラ羽根の部分を下方へ曲げると、そのぶん軸流式プロペラ羽根のピッチを小さくでき、プロペラ回転時の抵抗を小さくできる利点があり、その曲げ角は０〜９０度の範囲で有効である。【００１４】  あるいは、竜巻発生用プロペラの羽根をあえて遠心式プロペラ羽根だけの構造とする場合は、羽根の先端部分に軸流機能を持たせる必要があり、羽根の先端部分を０〜９０度の範囲で下方へ曲げた構造（蛇腹式ダクトも便利）にすると効果的である。【００１５】  また、竜巻発生用プロペラを下方へ０度〜４０度の範囲内で傾斜させて回転軸に取付けるとプロペラの回転抵抗を小さくでき、竜巻をいくぶん安定させる効果もある。【００１６】  次に、空気流偏向板１３は、ダクト状羽根の内部で加速した空気を羽根先端から下方へ斜めに流すために設けたりするが、羽根先端部分の軸流式プロペラ羽根の補助的な装置として用いると効果的である。【００１７】  次に、竜巻発生用プロペラの羽根数は、二枚羽根で十分であるが三枚以上でもよい。【００１８】  次に、ハブの目的は竜巻発生用プロペラを回転軸に取付けることにあり、その構造は一般的なバレル式構造のハブ（４）、ハブの中心に空気の吸引口を設けたハブ（４ａ）、フランジ式のハブ（４ｂ）、ダクト状羽根の内部に挿入して用いるハブ（４Ｃ）、上下にプレートを備えたプレート式のハブ（４ｄ）などを用いる。【００１９】  次に、竜巻発生機についてであるが、竜巻発生機には吊下用器具を設けるが、その役目は竜巻発生用プロペラの回転面を水平に保つことにあり、自在継手方式が効果的である。【００２０】  ケースの主な役目は、吊下用器具及び電源スイッチ及び駆動モータを取り付けるためのものであるが、竜巻発生機が小型の場合は電池室を設けたり、液体中で用いる場合は防水したケースにする。【００２１】  駆動モータの役目は、竜巻発生用プロペラを回転させることにあり電動モータ、空気モーター、液圧モータ等の各種モータがあり、減速機付きの駆動モータが有利である。【００２２】  次に、可動式竜巻実演装置についてであるが、その目的はできるだけ自然状態の竜巻現象を再現することにあり、特に竜巻を移動させることが重要であり、竜巻の可視化にはドライアイスの白煙や超音波による水煙、発泡スチロールのような軽い材質のボール、ピンポン球等を用いるが、大型の竜巻発生機においてはプラスチック・シリコン・ゴム等のボール等も用いる。【００２３】  また、水中竜巻実演装置は水中での竜巻現象を想定したもので、その演出には竜巻の可視化が必要であり、投入した可視化物を竜巻が吸引しやすいように水槽の底に傾斜���つけて中央部分を深くして可視化物が水槽の中央へ集まるような形状にし、水槽の横断面形は円形、矩形、多角形その他の形などを用いる。【００２４】  水中竜巻の場合、竜巻発生用プロペラの回転によって水面に渦が発生しやすく、該渦から水面上の空気が竜巻発生用プロペラの回転面に流入することがあり、空気流入防止策として竜巻発生機上の水面に円盤を浮かべたり、あるいは駆動モータの回転軸を長くして竜巻発生用プロペラだけを水中に沈める場合は、円盤の中心に軸穴を設け、該軸穴に回転軸を通して円盤が水面に自由に浮く状態にして竜巻発生用プロペラを沈めると効果的。【００２５】  また、水中竜巻の可視化には水より比重の大きいプラスチック・シリコン・ゴム等でできた粒やホール又はオガクズ等を用いる。【００２６】  次に、上記した遠心式プロペラ羽根や軸流式プロペラ羽根の選定・羽根ピッチの設定・実演装置の設定・自然的な竜巻の演出等には竜巻現象のメカニズムを参考にして行うのが効果的である。【００２７】  以下に記す竜巻現象のメカニズムは、人工竜巻による実験と実際の自然竜巻の外見形態との比較から独自に得たもので、その竜巻現象のメカニズム構造は竜巻、旋回上昇渦、底部円錐状渦、底部円盤状渦、上部負圧帯でなり、竜巻現象の環境によっては竜巻の渦中心線に沿って逆さ竜巻が生じたり、竜巻部にダウンバースト現象が生じる等のメカニズム構成となっている。【００２８】  上記のように竜巻は複数の渦構成で起こるが、最初に旋回上昇渦が形成され、この旋回上昇渦の上部に上部負圧帯が発生するとその負圧によって旋回上昇渦の上面が吸い上げられるが、旋回上昇渦は回転による遠心力で上部負圧帯の負圧作用に抵抗するため、負圧作用は旋回上昇渦の中央部に最も強く作用しながら下方に伝播してゆく。【００２９】  上部負圧帯の負圧作用が地表に達すると旋回上昇渦の底の部分が円盤状に吸引されて旋回上昇渦よりも求心速度が速く渦巻線の異なる円盤状渦が発生し、地表物を破壊するような強力な渦に発達してゆくが、このとき旋回上昇渦の底部を円盤状に吸引できる仕組は、旋回上昇渦底部は地表との摩擦で回転速度が遅く遠心力が小さくなっていることと、上部負圧帯の負圧によって旋回上昇渦全体が引き上げられて旋回上昇渦と地表との間にすきまが生じることにあり、このすきまの部分が吸引されて円盤状の渦が発生する。【００３０】  底部円盤状渦が形成されると、その渦流は上部負圧作用に引かれ中心へと収束し、その流れは中心で交差するよな形で、すり鉢のように上に開張した底部円錐状渦を形成するが、このとき底部円錐状渦に吸引された重量物は遠心力によって外側へ飛ばされ、軽量物は底部円錐状渦から離脱するものの竜巻の根元を取り巻くように旋回し、さらに軽いダストは上空へ吸い上げられる。【００３１】  底部円錐状渦は、自身の遠心力と上部負圧作用との均衡できる直径にまで発達すると、今度は垂直上昇に転じ、旋回しながら上昇する螺旋状渦が発生する。【００３２】  螺旋状渦は上部負圧作用によって吸引されて上昇するが、この螺旋状渦は外周を取り囲んでいる旋回上昇渦よりも負圧状態にあり、旋回上昇渦の内壁全面からも空気を取り込みながら上昇して竜巻が誕生する。【００３３】  竜巻は旋回性��強い渦で、その遠心作用によってダストや内部発生の雲粒が竜巻の周縁に集まり、煙突のようなパイプ状の竜巻が出現する。【００３４】  次に、竜巻はパイプ状で内部が煙突状態で透明になっているが、竜巻現象の状態によっては透明部分の渦中心線に沿って細い下降渦が生じ、透明な逆さ竜巻が発生する。【００３５】  逆さ竜巻の発生原因は、竜巻回転の遠心力による渦中心の空洞化現象によって細い渦が発生し、更に底部円錐状渦の負圧が細い渦の底部を吸引することで逆流が起こり逆さ竜巻が発生する。【００３６】  次に、竜巻によるダウンバーストは、竜巻現象が起こっているときに突然上部負圧帯による上部負圧作用が消滅した場合に発生する。上部負圧作用の消滅は、上部負圧帯が消滅した場合と竜巻の頭部が上部負圧帯からそれた場合に起こる。【００３７】  竜巻に作用している上部負圧作用が消滅すると、竜巻の上昇は止まり、自身の遠心力によって外側に直径を拡張してゆき、この拡張によって生じる空洞に上空の空気が流れ込み、竜巻の頭を押さえ込むような感じで流下を始める。【００３８】  この流下現象は先端が半球形になって流下、つまり、ダウンバーストするのが特徴で、竜巻の遠心力による拡張作用に起因していることから、そのダウンバースト速度は非常に速く、地表に激突して四方へ放射状に拡散して突風となるか、その爆発的な突風は、竜巻が移動していた場合は竜巻直径か竜巻直径の数倍程度の細い帯状の突風帯をつくる。【００３９】  更に、環境によっては、一本の竜巻の内部に複数の竜巻が発生することがある。その原因の一つは、地表の障害物などによって竜巻の内側と外側に速度差が生じることで渦が生じて竜巻が発生し、遊星歯車のように複数の竜巻が整然と同一円上に立ち並びながら旋回して一本の竜巻を形成する。
【発明の効果】
【００４０】  上記のような解決手段で構成した結果、天井扇風機のように空中に露出した竜巻発生用プロペラを回転させるだけで竜巻発生に必要な上昇流と旋回流の二つの空気流を同時に得ることができるようになり、プロペラや機械の製作も容易で機械による圧迫感も少なく、自由空間的な環境下で竜巻の背丈も高く、竜巻の移動も可能になり、より自然的な竜巻の発生がきるようになった。
【発明の実施するための最良の形態】
【００４１】  以下、本発明の実施の形態を図２、図３、図４に基づいて説明する。
【００４２】  図２は、小型の竜巻発生機を示した略図で、その構成は、自在継手付きの吊下用器具（９）及び電源スイッチ（１０）及び電池室（１１）を備えたケース（８）の底に倒立状態の駆動モータ（６）を取り付け、前記ケース（８）の底部から突き出た前記駆動モータ（６）の回転軸（５）にハブ（４ａ）を取り付け、羽根構造が遠心式プロペラ羽根３（翼型ａ，ｂ，ｃ，ｄ，ｅ）と羽根先端部分に軸流式プロペラ羽根２（翼型ｂ，ｃ，ｄ，ｅ，ｆ，ｇ）からなる竜巻発生用プロペラを前記ハブ（４ａ）に取付ける。
【００４３】  また、竜巻発生用プロペラの中心に設けた軸穴に回転軸（５）を貫通させて取付け前記竜巻発生用プロペラの脱落防止を図り、吸引口（７）を前記ハブ（４ａ）の中心に下向きに設け、吹出口（１２）は羽根先端に設ける。
【００４４】  図３は、外部電源型の竜巻発生機を示した略図で、その構成は、自在継手付きの吊下用器具（９）及び電源スイッチ（１０）を備えたケース（８ａ）の底に倒立状態の駆動モータ（６）を取り付け、前記ケース（８ａ）の底部から突き出た駆動モータ（６）の回転軸（５）にハブ（４ｂ）を取り付けてなり、竜巻発生用プロペラの羽根は、回転軸側より軸流式プロペラ羽根２（翼型ｆ）・遠心式プロペラ羽根３（翼型ａ，ｂ，ｃ，ｄ）・羽根先端部分に軸流式プロペラ羽根２（翼型ｂ，ｃ，ｄ，ｅ，ｆ，ｇ）の順の羽根構造にして前記ハブ（４ｂ）に取付けている。
【００４５】  図４は、羽根先端部分に設けたダクト状羽根（翼型ａ，ｂ，ｃ，ｄ，ｅ，）を斜め下方へ曲げた竜巻発生用プロペラ及び竜巻発生用プロペラの羽根内部に金属・プラスチック・シリコン・ゴム類等の才質でできたハブ（４ｃ）を挿入した状態及び空気流偏向板（１３）の取り付け状態を示した図てあり、前記ハブ（４ｃ）及び竜巻発生用プロペラの取付けは、ハブ（４ｃ）に空けた軸穴に駆動モータの回転軸を通して行っている。
【産業上の利用可能性】
【００４６】  理科教材、気象研究、ディスプレイ用、科学館や水族館の実演用等
【図面の簡単な説明】
【００４７】
【図１】  竜巻発生機及び気流原理の側面図である。
【図２】  電池式の竜巻発生機の縦断面図である。
【図３】  外部電源型の竜巻発生機の縦断面図である。
【図４】  竜巻発生用プロペラ及びハブ縦断面図である。
【図５】  竜巻発生用プロペラ及びハブの縦断面図である。
【図６】  竜巻発生用プロペラの翼型図である。
【符号の説明】
【００４８】１  竜巻発生用プロペラ
２  軸流式プロペラ羽根
３  遠心式プロペラ羽根
４，４ａ，４ｂ，４ｃ，４ｄ  ハブ
５  回転軸
６  駆動モータ
７，７ａ  吸引口
８、８ａ  ケース
９  吊下用器具
１０  電源スイッチ
１１  電池室
１２  吹出口
１３  空気流偏向板
２０  回転空気流
２１  旋回下降流
２２  上昇流
２３  竜巻
２４  旋回上昇渦
【図１】
2008002447.tif 000003
【図２】
2008002447.tif 000004
【図３】
2008002447.tif 000005
【図４】
2008002447.tif 000006
【図５】
2008002447.tif 000007
【図６】
2008002447.tif 000008
【図６】
2008002447.tif 000009
【手続補正書】
【提出日】平成18年8月18日(2006.8.18)
【手続補正１】
【補正対象書類名】図面
【補正対象項目名】全図
【補正方法】変更
【補正の内容】
【図１】
2008002447.tif 000010
【図２】
2008002447.tif 000011
【図３】
2008002447.tif 000012
【図４】
2008002447.tif 000013
【図５】
2008002447.tif 000014
【図６】
2008002447.tif 000015